(57)【要約】【課題】液体微粒化装置とそれを用いたサウナ装置に関するもので、エネルギー損失を抑制、温度の低下防止、汚れの低減を目的とするものである。【解決手段】本体ケース１０内の通気路に設けた加熱手段１１および送風手段１２と、この間に設けた微粒化手段１３と、これらを制御する制御手段１７を備え、前記微粒化手段１３は、液体を貯める貯液部１４と、この貯液部１４に設けた前記加熱手段１１から供給される温水を上方に噴出させる噴出ノズル２４と、この噴出ノズル２４から噴出された温水が衝突する天面２６と、この時発生する微粒化液体をさらに微細分離する微細分離手段２１と、前記貯液部１４に設けた排水口２５と、この排水口２５からの温水を前記噴出ノズル２４に戻し再度噴出させるポンプ１５と、前記加熱手段１１から供給される温水と前記ポンプ１５から戻される温水を切り替える切り替え弁２３から構成したものである。【選択図】図２
2010104642.tif 000002
【特許請求の範囲】
【請求項１】
給気口と排気口を有する本体ケースと、この本体ケース内の通気路に設けた加熱手段および送風手段と、この送風手段と前記排気口との間に設けた微粒化手段と、前記加熱手段と前記送風手段を制御する制御手段を備え、前記微粒化手段は、液体を貯める貯液部と、この貯液部に設けて前記加熱手段から供給される温水を上方に噴出させる噴出ノズルと、この噴出ノズルから噴出された温水が衝突する天面と、前記液部より風下に設けて前記衝突時に発生する微粒化液体をさらに微細分離する微細分離手段と、前記貯液部に設けた排水口と、この排水口からの温水を前記噴出ノズルに戻し再度噴出させるポンプと、前記加熱手段から供給される温水と前記ポンプから戻される温水を切り替える切り替え弁から構成した液体微粒化装置。
【請求項２】
噴出ノズルを周辺より一段高い位置へ配置した請求項１に記載の液体微粒化装置。
【請求項３】
排水口を周辺より一段低い位置へ配置した請求項１に記載の液体微粒化装置。
【請求項４】
天面を貯液部より小さい構成とした請求項１に記載の液体微粒化装置。
【請求項５】
天面をドーム状とした請求項１、４のいずれかに記載の液体微粒化装置。
【請求項６】
制御手段は、切り替え弁の切り替えを貯液部が満水とならない間隔で切り替え運転する構成とした請求項１〜５のいずれかに記載の液体微粒化装置。
【請求項７】
制御手段は、切り替え弁の切り替えを貯液部に設けた噴出ノズル先端が温水で塞がらない間隔で切り替え運転する構成とした請求項２〜６のいずれかに記載の液体微粒化装置。
【請求項８】
制御手段は、貯液部あるいはこの貯液部の一段低くした排水口近傍に設けられた水位検知部が満水を検知すると、噴出ノズルからの噴出をポンプによる前記排水口からの再噴出となるように切り替え弁を切り替え、前記水位検知部が前記貯液部の液体がなくなるのを検知すると、前記噴出ノズルからの噴出を加熱手段から供給される噴出となるよう前記切り替え弁を切り替えて運転する構成とした請求項１〜５のいずれかに記載の液体微粒化装置。
【請求項９】
貯液部下面に加熱する加熱部を設ける構成とした請求項１〜８のいずれかに記載の液体微粒化装置。
【請求項１０】
制御手段は、運転停止後も一定時間送風手段および切り替え弁を切り替えポンプによる再噴出運転あるいは加熱部運転の少なくとも一つを残遅運転する構成とした請求項１〜７、９のいずれかに記載の液体微粒化装置。
【請求項１１】
制御手段は、運転停止後も水位検知部が貯液部の液体がなくなるのを検知するまで送風手段および切り替え弁を切り替え、ポンプによる再噴出運転あるいは加熱部運転の少なくとも一つは運転する構成とした請求項１〜５、８、９のいずれかに記載の液体微粒化装置。
【請求項１２】
制御手段は、液体微粒化運転の積算時間記憶部を設け、この積算時間記憶部の積算時間が設定時間以上となれば貯液部のお掃除を知らせる表示手段を設けた構成とした請求項１〜１１のいずれかに記載の液体微粒化装置。
【請求項１３】
制御手段は、液体微粒化運転の積算時間記憶部を設け、この積算時間記憶部の積算時間が設定時間以上となれば貯液部のお掃除を知らせる報知手段を設けた構成とした請求項１〜１２のいずれかに記載の液体微粒化装置。
【請求項１４】
サウナ室の開口部に、請求項１〜１３のいずれかに記載の液体微粒化装置を設けたサウナ装置。
【発明の詳細な説明】
【技術分野】
【０００１】
本発明は、本発明は、液体微粒化装置とそれを用いたサウナ装置に関するものである。
【背景技術】
【０００２】
例えば、サウナ装置に用いられる液体微粒化装置の構成は、次のような構成となっていた。
【０００３】
すなわち、給気口と排気口を有する本体ケースと、この本体ケース内の通気路に設けた加熱手段および送風手段と、この送風手段と排気口間に設けた微粒化手段とを備え、前記微粒化手段は、ノズルから液体を噴射させる構成となっていた（例えば特許文献１参照）。
【特許文献１】特開平６−６３１０３号公報
【発明の開示】
【発明が解決しようとする課題】
【０００４】
上記従来例において問題となるのは、エネルギー損失が大きくなっているということであった。
【０００５】
すなわち、従来の液体微粒化装置は、上述のごとく、ノズルから液体を噴射させることにより液体を微粒化しているが、このように、ノズルから液体を噴射させるものでは、微粒化できなかった多くの排液が発生し、しかもこの排液は、加熱手段による加熱を行ったものでもあるので、加熱された液体をみすみす排出してしまうことになり、結論として、エネルギー損失が大きくなってしまうものであった。
【０００６】
また、微粒化する際に液体からエネルギーが奪われ温度が下がるものであった。
【０００７】
さらに、液体による汚れが付着してもそれがわからないものであり、不衛生であった。
【０００８】
そこで、本発明は、エネルギー損失を抑制することを目的とするものである。
【０００９】
また、本発明は、微粒化時に奪われるエネルギーを補うことで温度の低下を防ぐことを目的とするものである。
【００１０】
さらに、本発明は、残液体による汚れをなくし、お手入れ時期を知らせることで使用者の掃除を促すことで衛生に保つことを目的とするものである。
【課題を解決するための手段】
【００１１】
この目的を達成するために本発明は、給気口と排気口を有する本体ケースと、この本体ケース内の通気路に設けた加熱手段および送風手段と、この送風手段と前記排気口との間に設けた微粒化手段と、前記加熱手段と前記送風手段を制御する制御手段を備え、前記微粒化手段は、液体を貯める貯液部と、この貯液部に設けて前記加熱手段から供給される温水を上方に噴出させる噴出ノズルと、この噴出ノズルから噴出された温水が衝突する天面と、前記液部より風下に設けて前記衝突時に発生する微粒化液体をさらに微細分離する微細分離手段と、前記貯液部に設けた排水口と、この排水口からの温水を前記噴出ノズルに戻し再度噴出させるポンプと、前記加熱手段から供給される温水と前記ポンプから戻される温水を切り替える切り替え弁から構成構成としたものである。
【００１２】
また他の手段は、噴出ノズルを周辺より一段高い位置へ配置したものである。
【００１３】
また他の手段は、排水口を周辺より一段低い位置へ配置したものである。
【００１４】
また他の手段は、天面を貯液部より小さい構成としたものである。
【００１５】
また他の手段は、天面をドーム状としたものである。
【００１６】
また他の手段は、制御手段は、切り替え弁の切り替えを貯液部が満水とならない間隔で切り替え運転する構成としたものである。
【００１７】
また他の手段は、制御手段は、切り替え弁の切り替えを貯液部に設けた噴出ノズル先端が温水で塞がらない間隔で切り替え運転する構成としたものである。
【００１８】
また他の手段は、制御手段は、貯液部あるいはこの貯液部の一段低くした排水口近傍に設けられた水位検知部が満水を検知すると、噴出ノズルからの噴出をポンプによる前記排水口からの再噴出となるように切り替え弁を切り替え、前記水位検知部が前記貯液部の液体がなくなるのを検知すると、前記噴出ノズルからの噴出を加熱手段から供給される噴出となるよう前記切り替え弁を切り替えて運転する構成としたものである。
【００１９】
これらの手段により、エネルギー損失を抑制する目的を達成するものである。
【００２０】
また他の手段は、貯液部下面に加熱する加熱部を設ける構成としたものである。
【００２１】
この手段により、微粒化時に奪われるエネルギーを加熱部で補うことができるので温度の低下を防ぐ目的を達成するものである。
【００２２】
また他の手段は、制御手段は、運転停止後も一定時間送風手段および切り替え弁を切り替えポンプによる再噴出運転あるいは加熱部運転の少なくとも一つを残遅運転する構成としたものである。
【００２３】
また他の手段は、制御手段は、運転停止後も水位検知部が貯液部の液体がなくなるのを検知するまで送風手段および切り替え弁を切り替え、ポンプによる再噴出運転あるいは加熱部運転の少なくとも一つは運転する構成としたものである。
【００２４】
また他の手段は、制御手段は、液体微粒化運転の積算時間記憶部を設け、この積算時間記憶部の積算時間が設定時間以上となれば貯液部のお掃除を知らせる表示手段を設けた構成としたものである。
【００２５】
また他の手段は、制御手段は、液体微粒化運転の積算時間記憶部を設け、この積算時間記憶部の積算時間が設定時間以上となれば貯液部のお掃除を知らせる報知手段を設けた構成としたものである。
【００２６】
これらの手段により、液体微粒化装置およびそれを用いたサウナ装置は、液体を微粒化した際に残る液体がなくなるため、それによる汚れがなくなり、さらにお手入れ時期を知らせることで使用者の掃除を促すことができるので衛生に保つという目的を達成するものである。
【発明の効果】
【００２７】
本発明によれば、エネルギー損失を抑制できる効率のよい液体微粒化装置を提供できる。
【００２８】
また、微粒化時に奪われる熱を補うことで温度の低下を防ぐことができ、暖房能力の高い液体微粒化装置を提供できる。
【００２９】
また、液体を微粒化した際に残る液体がなくなるため、それによる汚れがなくなり、さらにお手入れ時期を知らせることで使用者の掃除を促すことができるので衛生に保つことのできる優れた液体微粒化装置を提供できる。
【発明を実施するための最良の形態】
【００３０】
本発明の請求項１記載の発明は、給気口と排気口を有する本体ケースと、この本体ケース内の通気路に設けた加熱手段および送風手段と、この送風手段と前記排気口との間に設けた微粒化手段と、前記加熱手段と前記送風手段を制御する制御手段を備え、前記微粒化手段は、液体を貯める貯液部と、この貯液部に設けて前記加熱手段から供給される温水を上方に噴出させる噴出ノズルと、この噴出ノズルから噴出された温水が衝突する天面と、前記液部より風下に設けて前記衝突時に発生する微粒化液体をさらに微細分離する微細分離手段と、前記貯液部に設けた排水口と、この排水口からの温水を前記噴出ノズルに戻し再度噴出させるポンプと、前記加熱手段から供給される温水と前記ポンプから戻される温水を切り替える切り替え弁から構成したものであり、前記噴出ノズルから噴出した温水は、前記天面に衝突し微粒化液体となり、微粒化液体とならなかった温水は前記貯液部に落下し貯められ、前記排水口から前記ポンプにより再度前記噴出ノズルから噴出されるので温水を排出することがなくなりエネルギー損失が小さくなるという作用を有する。
【００３１】
また、噴出ノズルを周辺より一段高い位置へ配置したものであり、噴出ノズルからの噴出が前記貯液部に溜まった温水で邪魔されることなく効率的に噴出されるので、エネルギー損失が小さくなるという作用を有する。
【００３２】
また、排水口を周辺より一段低い位置へ配置したものであり、前記貯液部に溜まった温水を全て前記排水口から再噴出できるので、エネルギー損失が小さくなるという作用を有する。
【００３３】
また、天面を貯液部より小さい構成としたものであり、前記天面に衝突し微粒化液体にならなかった温水が前記貯液部以外に落ちることなく戻すことができるので、エネルギー損失が小さくなるという作用を有する。
【００３４】
また、天面をドーム状としたものであり、前記天面に衝突し微粒化液体にならなかった温水がドーム状の天面を伝って効率的に前記貯液部に落ちるので、エネルギー損失が小さくなるという作用を有する。
【００３５】
また、制御手段は、切り替え弁の切り替えを貯液部が満水とならない間隔で切り替え運転する構成としたものであり、前記貯液部が満水となり溢れ出すことがなくなるので、エネルギー損失が小さくなるという作用を有する。
【００３６】
また、制御手段は、切り替え弁の切り替えを貯液部に設けた噴出ノズル先端が温水で塞がらない間隔で切り替え運転する構成としたものであり、前記噴出ノズルの先端が温水で塞がらない間隔で運転するため前記貯液部に溜まった温水が噴出の邪魔にならず効率的に噴出することとなるので、エネルギー損失が小さくなるという作用を有する。
【００３７】
また、制御手段は、貯液部あるいはこの貯液部の一段低くした排水口近傍に設けられた水位検知部が満水を検知すると、噴出ノズルからの噴出をポンプによる前記排水口からの再噴出となるように切り替え弁を切り替え、前記水位検知部が前記貯液部の液体がなくなるのを検知すると、前記噴出ノズルからの噴出を加熱手段から供給される噴出となるよう前記切り替え弁を切り替えて運転する構成としたものであり、前記貯液部に溜まる温水を正確に検知して切り替え運転できるので、エネルギー損失が小さくなるという作用を有する。
【００３８】
また、貯液部下面に加熱する加熱部を設ける構成としたものであり、前記貯液部の液体が温められることとなるので、微粒化時に低下する温度を補えるという作用を有する。
【００３９】
また、制御手段は、運転停止後も一定時間送風手段および切り替え弁を切り替えポンプによる再噴出運転あるいは加熱部運転の少なくとも一つを残遅運転する構成としたものであり、前記貯液部に溜まった液体を残遅運転によりなくすことができるので、残りの液体による前記貯液部の汚れをなくすことができるという作用を有する。
【００４０】
また、制御手段は、運転停止後も水位検知部が貯液部の液体がなくなるのを検知するまで送風手段および切り替え弁を切り替え、ポンプによる再噴出運転あるいは加熱部運転の少なくとも一つは運転する構成としたものであり、前記水位検知部により正確に前記貯液部の液体がなくなるまで運転を行うので、残りの液体による前記貯液部の汚れを正確になくすことができるという作用を有する。
【００４１】
また、制御手段は、液体微粒化運転の積算時間記憶部を設け、この積算時間記憶部の積算時間が設定時間以上となれば貯液部のお掃除を知らせる表示手段を設けた構成としたものであり、前記貯液部など液体により汚れる箇所のお掃除を使用者に促すことができるので、液体微粒化装置を衛生に保つことができるという作用を有する。
【００４２】
また、制御手段は、液体微粒化運転の積算時間記憶部を設け、この積算時間記憶部の積算時間が設定時間以上となれば貯液部のお掃除を知らせる報知手段を設けた構成としたものであり、前記貯液部など液体により汚れる箇所のお掃除を使用者に促すことができるので、液体微粒化装置を衛生に保つことができるという作用を有する。
【００４３】
また、サウナ室の開口部に、液体微粒化装置を設けたサウナ装置を構成するものであり、サウナ装置は、貯液部のよごれをなくし、エネルギー損失が小さく運転することができる。
【００４４】
以下、本発明の実施の形態について図面を参照しながら説明する。
【００４５】
（実施の形態１）
図１において、サウナ室１は、その前面壁２にドア３が開閉自在に設けられ、また、内部には浴槽４が設けられている。
【００４６】
また、このサウナ室１の天井面５の開口部６には、液体微粒化装置７が取り付けられている。液体微粒化装置７は、図２に示すごとく、給気口８と排気口９を有する本体ケース１０と、この本体ケース１０内の通気路に設けた加熱手段１１および送風手段１２と、この送風手段１２と排気口９との間に設けた微粒化手段１３とを備えた構成となっている。
【００４７】
微粒化手段１３は、図２、図３に示すごとく、板体を皿状に形成して液体を貯める貯液部１４と、この貯液部１４の周辺１４ａより一段高い位置に設けられた加熱手段１１から供給される温水を上方の貯液部１４より小さい天面２６に向け噴出し衝突させる噴出ノズル２４と、衝突により発生した微粒子をさらに微細化するために、直角方向に風の流れを変える微細分離手段２１と、貯液部の周辺より一段低い位置に設けられて排水口２５とから構成されている。
【００４８】
そして、噴出ノズル２４への温水の供給は、加熱手段１１から温水管２７を介し行うものと、排水口２５からポンプ１５介し行うものがあり、その切り替えは切り替え弁２３で行っている。また、微細分離手段２１は、貯液部１４よりも高い位置に配置し、液化した粒子を貯液部１４へ案内する構成としている。
【００４９】
加熱手段１１、送風手段１２、ポンプ１５、切り替え弁２３を制御する制御手段１７は液体微粒化装置７と有線１６で接続され、ドア３の付近に設置されている。
【００５０】
また、送風手段１２から排気口９に向かう風路は、送風ケース１８により形成されているが、この送風ケース１８において、特に、送風手段１２から微細分離手段２１近傍の通気口２０間においては天面２６設けた分岐壁１９があり、これにより送風手段１２から排気口９に送られる加熱空気は、そのまま送風手段１２から排気口９に向かうものと、送風手段１２から微粒化手段１３を経て、その後通気口２０を介して排気口９に向かうものとに分岐される。
【００５１】
上記構成において，サウナ室１内をサウナとして使用とする場合を図４および図５のタイムチャートにより説明する。
【００５２】
制御手段１７のサウナスイッチ１７ｂを操作すると、図示していないガス湯沸かし器や電気温水器から図１に示すパイプ２２を介して、図２における加熱手段１１へ温水を供給する。
【００５３】
この状態で、加熱手段１１による加熱体制が整うと、送風手段１２が駆動され、切り替え弁２３が加熱手段１１側となり、温水管２７を経由した温水が噴出ノズル２４から天面２６に向けて噴出され、衝突することで微粒子が発生する。
【００５４】
そして、貯液部１４の噴出ノズル２４が溜まった温水で塞がる時間ｔ１が経過すると、制御手段１７は切り替え弁２３をポンプ１５側とし、貯液部１４に溜まった温水を排水口２５からポンプ１５で吸引し、切り替え弁２３を介して噴出ノズル２４から同じように噴出させて天面２６に衝突することで微粒子を発生させる。この時、噴出ノズル２４が塞がる時間ｔ１で切り替えるので、貯液部１４に溜まった温水が噴出しの邪魔をせず効率的噴出ノズル２４から温水を噴出できる。
【００５５】
さらに、貯液部１４がなくなる時間ｔ２が経過すると、再び切り替え弁２３が加熱手段１１側となり同様の動作を繰り返す。この時、排水口２５は周辺より一段低くなっているので、貯液部１４全ての温水はポンプ１５で噴出ノズル２４から噴出できる。
【００５６】
一方、衝突により発生した微粒子は、通気口２０に向かい進むこととなるが、この時微細分離手段２１によりその流れを直角に変えられるため、微粒化液体となった温水の中で粒径の大きなものは、遠心力で曲がりきれず微細分離手段２１にぶつかり、再度温水となって貯液部１４に戻るため、粒径の小さいなものしか通気口２０からでないものとなる。
【００５７】
以上の繰り返し動作により、排気口９から微細化した温水が放出され、サウナ室１内がサウナ状態となる。
【００５８】
次に、制御手段１７の切スイッチ１７ａを押すと、図示していないガス湯沸かし器や電気温水器が直ちに停止し、加熱手段１１への温水供給がとまり、切り替え弁２３がポンプ１５側となり、送風手段１２による送風と排水口２５からポンプ１５により噴出ノズル２４から噴出する動作を貯液部１４に溜まった温水がなくなるまでの時間としてあらかじめ決められた時間ｔ３だけ残遅運転を行った後に停止する。
【００５９】
このように、切り替え弁２３で加熱手段１１からの温水供給と貯液部１４の排水口２５からの温水供給を繰り返し行うことで微細な温水を放出し、温水を排出することなくサウナ室１をサウナ空間とできるので、エネルギー損失を少なくでき、排水設備を別途設ける必要もない。
【００６０】
また、貯液部１４に溜まった温水は、制御手段１７が残遅運転として送風手段１２による送風と排水口２５からポンプ１５を介して噴出ノズル２４から噴出動作を行うことでなくなるため、貯液部１４の汚れを低減できる。
【００６１】
（実施の形態２）
実施の形態１と同一部分のものは同一番号を付して詳しい説明は省略する。
【００６２】
本実施の形態の微粒化手段３６は、図６、図７に示すごとく、板体を皿状に形成して液体を貯める貯液部１４と、この貯液部１４の周辺より一段高い位置に設けられた加熱手段１１から供給される温水を上方の貯液部１４より小さいドーム状天面３０に向け噴出し衝突させる噴出ノズル２４と、衝突により発生した微粒子をさらに微細化するために、直角方向に風の流れを変える微細分離手段２１と、貯液部の周辺１４ａより一段低い位置に設けられた排水口２５と、貯液部１４の水位を検知する水位検知部３２から構成されている。
【００６３】
また、水位検知部３２は、噴出ノズル２４が塞がらない水位を満水に温水がなくなった位置を渇水に設定している。
【００６４】
また、貯液部１４の下部には、貯液部１４に貯められる温水を加熱する加熱部３１がある。
【００６５】
加熱手段１１、送風手段１２、ポンプ１５、切り替え弁２３、加熱部３１を制御する制御手段３３は液体微粒化装置７と有線１６で接続され、ドア３の付近に設置されている。
【００６６】
さらに、制御手段３３は、水位検知部３２の信号により、送風手段１２、加熱部３１、ポンプ１５、切り替え弁２３を制御するとともに、図９に示すごとく、液体微粒化装置７の運転時間を積算する積算時間記憶部３７（図示せず）と、液体微粒化装置７の運転時間が設定値以上となると、使用者に微粒化手段３６のお掃除を促すための表示手段３４と報知手段３５も設けている。
【００６７】
上記構成において，サウナ室１内をサウナとして使用とする場合を図９と図１０のタイムチャートにより説明する。
【００６８】
制御手段３３のサウナスイッチ３３ｂを操作すると、図示していないガス湯沸かし器や電気温水器から図７に示すパイプ２２を介して、図６における加熱手段１１の温水を供給する。
【００６９】
この状態で、加熱手段１１による加熱体制が整うと、送風手段１２駆動され、切り替え弁２３が加熱手段１１側となり、温水管２７を経由した温水が噴出ノズル２４からドーム状天面３０に向けて噴出され、衝突することで微粒子が発生する。この時、ドーム状天面３０は貯液部１４より小さくさらにドーム状となっているため、微粒子とならなかった温水が効率的に貯液部１４に落下する。
【００７０】
そして、制御手段３３が貯液部１４の水位検知部３２の満水を検知すると、切り替え弁２３をポンプ１５側とし、貯液部１４に溜まった温水を排水口２５からポンプ１５で吸引し、切り替え弁２３を介して噴出ノズル２４から同じように噴出させてドーム状天面３０に衝突することで微粒子を発生させる。この時、水位検知部３２の満水位置は、噴出ノズル２４が塞がらない位置となっているので、貯液部１４に溜まった温水が噴出しを邪魔せず効率的に噴出できる。
【００７１】
次に制御手段３３が貯液部１４の水位検知部３２の渇水を検知すると、再び切り替え弁２３が加熱手段１１側となり同様の動作を繰り返す。この時、排水口２５と水位検知部３２は周辺より一段低くい場所にあり、水位検知部３２の渇水は温水がなくなる位置に設定されているので確実に貯液部１４の全ての温水はポンプ１５で噴出ノズル２４からなくなるまで噴出できる。
【００７２】
一方、衝突により発生した微粒子は、通気口２０に向かい進むこととなるが、この時微細分離手段２１によりその流れを直角に変えられるため、微粒化液体となった温水の中で粒径の大きなものは、遠心力で曲がりきれず微細分離手段２１にぶつかり、再度温水となって貯液部１４に戻るため、粒径の小さいなものしか通気口２０からでないものとなる。
【００７３】
また、貯液部に溜まった温水は、温水が低下しないように加熱部３１で温められる。
【００７４】
以上により、排気口９から微細化した温水が放出され、サウナ室１内がサウナ状態となる。
【００７５】
次に、制御手段３３の切スイッチ３３ａを押すと、図示していないガス湯沸かし器や電気温水器が直ちに停止し、加熱手段１１への温水供給がとまり、切り替え弁２３がポンプ１５側となり、送風手段１２による送風、加熱部３１による加熱と排水口２５からポンプ１５により噴出ノズル２４から噴出する動作を水位検知部３２が渇水と検知するまで残遅運転を行った後に停止する。
【００７６】
さらに、制御手段３３は液体微粒化装置７を使用した時間を積算記憶部３７で積算しており、その積算時間が設定値以上となると使用者に微粒化手段３６のお掃除を促すための表示を表示手段３４に報知を報知手段３５で行う。
【００７７】
使用者は、その表示と報知により微粒化手段３６の掃除を行い、掃除終了後お掃除完了スイッチ３３ｃを押し、積算記憶部３７の積算値をリセットする。
【００７８】
このように、切り替え弁２３で加熱手段１１からの温水供給と貯液部１４の排水口２５からの温水供給を繰り返し行うことで微細な温水を放出し、確実に温水を排出することなくサウナ室１をサウナ空間とできるので、エネルギー損失を少なくでき、排水設備を別途設ける必要もない。
【００７９】
また、貯液部１４に溜まった温水は、制御手段３３が水位検知部３２の渇水を検知するまで送風手段１２による送風、加熱部３１による加熱と排水口２５からポンプ１５を介して噴出ノズル２４から噴出動作を行うことで確実になくなるため、貯液部１４の汚れを低減できる。
【００８０】
送風手段１２と加熱部３１を運転するので、貯液部１４の汚れの低減と加熱部３１による熱消毒ができるものとなる。
【００８１】
さらに、液体微粒化装置７の運転時間が設定値以上となると、お手入れ時期を表示手段３４と報知手段３５で知らせることで使用者の掃除を促し、衛生に保つこともできる。
【産業上の利用可能性】
【００８２】
以上のごとく本発明は、エネルギー損失を抑制できる効率のよい液体微粒化装置を提供できる。
【００８３】
また、微粒化時に奪われる熱を補うことで温度の低下を防ぐことができ、暖房能力の高い液体微粒化装置を提供できる。
【００８４】
また、液体を微粒化した際に残る液体がなくなるため、それによる汚れがなくなり、さらにお手入れ時期を知らせることで使用者の掃除を促すことができるので衛生に保つことができる液体微粒化装置を提供できる。
【００８５】
したがって、例えば、サウナ装置やその他植物育成設備への活用が期待される。
【図面の簡単な説明】
【００８６】
【図１】本発明の実施の形態１における液体微粒化装置を用いたサウナ装置の斜視図
【図２】同液体微粒化装置の断面図
【図３】同微粒化手段の断面図
【図４】同制御手段の正面図
【図５】同液体微粒化装置の動作を示すタイムチャート
【図６】本発明の実施の形態２における液体微粒化装置を用いたサウナ装置の斜視図
【図７】同液体微粒化装置の断面図
【図８】同微粒化手段の断面図
【図９】同制御手段の正面図
【図１０】同液体微粒化装置の動作を示すタイムチャート
【符号の説明】
【００８７】
１      サウナ室
２      前面壁
３      ドア
４      浴槽
５      天井面
６      開口部
７      液体微粒化装置
８      給気口
９      排気口
１０    本体ケース
１１    加熱手段
１２    送風手段
１３    微粒化手段
１４    貯液部
１４ａ  周辺
１５    ポンプ
１６    有線
１７    制御手段
１８    送風ケース
１９    分岐壁
２０    通気口
２１    微細分離手段
２２    パイプ
２３    切り替え弁
２４    噴出ノズル
２５    排水口
２６    天面
２７    温水管
３０    ドーム状天面
３１    加熱部
３２    水位検知部
３３    制御手段
３４    表示手段
３５    報知手段
３６    微粒化手段
【図１】
2010104642.tif 000003
【図２】
2010104642.tif 000004
【図３】
2010104642.tif 000005
【図４】
2010104642.tif 000006
【図５】
2010104642.tif 000007
【図６】
2010104642.tif 000008
【図７】
2010104642.tif 000009
【図８】
2010104642.tif 000010
【図９】
2010104642.tif 000011
【図１０】
2010104642.tif 000012